(57)【要約】【課題】オリジナルな家計簿を自動作成する。【解決手段】消費者の属性，月別集計カテゴリ名およびユーザＩＤ・同一家族ＩＤを顧客情報データベースに、商品コードとカテゴリ名との対応を基本カテゴリ情報データベースに、消費者が登録したカテゴリ名に対する商品コードをユーザＩＤ毎にユーザ別カテゴリ編集情報データベースに格納しておく。そして、商品購買情報を受信する毎に、顧客情報データベースから同一家族ＩＤを取得して商品購買情報と共にレシート情報データベースに登録する。また、先ずユーザ別カテゴリ編集情報データベース、次いで基本カテゴリ情報データベースを検索することにより当該商品の属するカテゴリを取得してレシート情報データベースのカテゴリ名欄に記入する。レシート情報データベースのレシート情報はＨＰに掲載し、家庭用端末からアクセスがあると、レシート情報の消費者対応または世帯対応のダウンロードや閲覧をさせる。【選択図】　　　　図１
2004046540.tif 000002
【特許請求の範囲】
【請求項１】
消費者によって使用される家庭用端末と、小売店によって使用される小売店端末と、サービス業者によって運用されるサーバとをネットワークを介して接続した家計簿作成支援システムにおいて、
前記サーバでは、前記小売店から送信されてくる前記消費者の商品購買情報に基づくレシート情報を当該消費者毎に、消費者が属する世帯と対応付けて管理してホームページに掲載し、
前記家庭用端末は、前記ホームページにアクセスすることにより、前記レシート情報の前記消費者対応または前記世帯対応のダウンロードまたは閲覧ができることを特徴とする家計簿作成支援システム。
【請求項２】
消費者によって使用される家庭用端末と、小売店によって使用される小売店端末と、サービス業者によって運用されるサーバとをネットワークを介して接続した家計簿作成支援システムにおいて、
前記サーバは、
消費者の属性，月別集計カテゴリ名およびユーザＩＤ・同一家族ＩＤを格納する顧客情報データベースと、
商品コードとカテゴリ名との対応を格納する基本カテゴリ情報データベースと、
消費者が登録したカテゴリ名に対する商品コードをユーザＩＤ毎に格納するユーザ別カテゴリ編集情報データベースと、
ユーザＩＤおよび同一家族ＩＤから成るユーザ情報と、前記小売店から送信されてくる前記消費者の商品購買情報に基づくレシート情報とを格納するレシート情報データベースとに接続され、
前記商品購買情報を受信する毎に、前記顧客情報データベースから同一家族ＩＤを取得して該商品購買情報と共に前記レシート情報データベースに登録し、先ず前記ユーザ別カテゴリ編集情報データベース、次いで前記基本カテゴリ情報データベースを検索することにより当該商品の属するカテゴリを取得して、前記レシート情報データベースのカテゴリ名欄に記入して、レシート情報をホームページに掲載し、
前記家庭用端末は、前記ホームページにアクセスすることにより、前記レシート情報の前記消費者対応または前記世帯対応のダウンロードまたは閲覧ができることを特徴とする家計簿作成支援システム。
【請求項３】
前記サーバは、前記レシート情報データベースに基づいて、ユーザＩＤまたは同一家族ＩＤ毎、カテゴリ名毎に、過去１２ケ月分の購買金額を集計して格納する月別集計データベースを備え、
前記家庭用端末は、前記ホームページにアクセスすることにより、前記月別集計データベースの内容のダウンロードまたは閲覧ができることを特徴とする請求項２に記載の家計簿作成支援システム。
【請求項４】
前記レシート情報における商品区分であるカテゴリの内容は、前記家庭用端末から設定可能であることを特徴とする請求項１ないし請求項３のいずれかに記載の家計簿作成支援システム。
【請求項５】
消費者によって使用される家庭用端末および小売店によって使用される小売店端末とネットワークを介して接続されサービス業者によって運営されるサーバを構成するコンピュータにおける家計簿作成支援プログラムであって、
消費者の属性，月別集計カテゴリ名およびユーザＩＤ・同一家族ＩＤを顧客情報データベースに格納する機能と、
商品コードとカテゴリ名との対応を基本カテゴリ情報データベースに格納する機能と、
消費者が登録したカテゴリ名に対する商品コードをユーザＩＤ毎にユーザ別カテゴリ編集情報データベースに格納する機能と、
前記商品購買情報を受信する毎に、前記顧客情報データベースから同一家族ＩＤを取得して該商品購買情報と共にレシート情報データベースに登録する機能と、
前記商品購買情報を受信する毎に、先ず前記ユーザ別カテゴリ編集情報データベース、次いで前記基本カテゴリ情報データベースを検索することにより当該商品の属するカテゴリを取得して、前記レシート情報データベースのカテゴリ名欄に記入する機能と、
前記レシート情報データベースのレシート情報をホームページに掲載する機能と、
前記家庭用端末から前記ホームページにアクセスがあると、前記レシート情報の前記消費者対応または前記世帯対応のダウンロードまたは閲覧をさせる機能とを前記コンピュータに実行させることを特徴とする家計簿作成支援プログラム。
【請求項６】
前記レシート情報データベースに基づいて、ユーザＩＤまたは同一家族ＩＤ毎、カテゴリ名毎に、過去１２ケ月分の購買金額を集計して月別集計データベースに格納し、前記ホームページへの掲載，ダウンロードおよび閲覧をさせる機能を備えたことを特徴とする請求項５に記載の家計簿作成支援プログラム。
【発明の詳細な説明】
【０００１】
【発明の属する技術分野】
本発明は、小売店等で買物をした消費者がレシートから家計簿を電子的に作成する場合の家計簿作成支援システムに関する。
【０００２】
【従来の技術】
今日では、小売店等で買物をした消費者は、レジから出力されるレシートを元にパソコンにより家計簿を作成することも容易である。しかし、商品名，金額等のレシート情報をパソコンへ入力するのに、キー操作やＯＣＲ入力等が必要とされのならば、伝統的な紙ベースの家計簿作成時にも似た煩雑な処理を強いられることになる。
【０００３】
このような問題の解決を図った従来技術の一例が、特開２００２−４９７４４において「メールシステム」として記載されている。この技術は、販売店端末と顧客端末とをサーバーを介して接続し、販売店端末は、サーバーに対して顧客のレシート情報を顧客のメールアドレスまたはＩＤ番号と共に送信し、サーバーは、各販売店端末から送信されてきた顧客のレシート情報を所定のフォーマットに変換して、販売店で購入した顧客の顧客端末にメールによって配信するというものである。
【０００４】
この技術によると、顧客は、メール送信されてきたレシート情報を家計簿ソフト等に入力できるため、顧客は煩雑な入力作業から解放され、また、レシート情報はサーバーにおいて所定のフォーマットに変換されるため、レシートのフォーマットが異なる系列の販売店のレシート情報にも対応できるとする。
【０００５】
【発明が解決しようとする課題】
ところで、一般には家計簿は同一世帯の支出を反映したもので足りるが、現代では、同一世帯に属する家族個人単位の支出を明らかにしたい場合も少なくない。その場合は、男女，老若，職業等の違いによって家族毎に支出の内容も異なってくる筈であるので、個人家計簿の内容も、そのような特徴を反映したものであることが望まれる。
【０００６】
しかしながら、上述した従来技術では、この点に関しては言及されておらず、自動的には画一的な家計簿しか作成できないという問題点がある。
【０００７】
そこで、本発明の目的は、オリジナルな家計簿を自動作成するための家計簿作成支援システムを提供することにある。
【０００８】
【課題を解決するための手段】
本発明の家計簿作成支援システムは、消費者によって使用される家庭用端末と、小売店によって使用される小売店端末と、サービス業者によって運用されるサーバとをネットワークを介して接続した家計簿作成支援システムにおいて、サーバでは、小売店から送信されてくる消費者の商品購買情報に基づくレシート情報を当該消費者毎に、消費者が属する世帯と対応付けて管理してホームページに掲載し、家庭用端末は、ホームページにアクセスすることにより、レシート情報の消費者対応または世帯対応のダウンロードまたは閲覧ができることを特徴とするものである。
【０００９】
より詳しくは、本発明の家計簿作成支援システムは、消費者によって使用される家庭用端末（図１の１）と、小売店によって使用される小売店端末（図１の２）と、サービス業者によって運用されるサーバ（図１の３）とをネットワーク（図１の４）を介して接続した家計簿作成支援システムにおいて、サーバは、消費者の属性，月別集計カテゴリ名およびユーザＩＤ・同一家族ＩＤを格納する顧客情報データベースと、商品コードとカテゴリ名との対応を格納する基本カテゴリ情報データベースと、消費者が登録したカテゴリ名に対する商品コードをユーザＩＤ毎に格納するユーザ別カテゴリ編集情報データベースと、ユーザＩＤおよび同一家族ＩＤから成るユーザ情報と、小売店から送信されてくる消費者の商品購買情報に基づくレシート情報とを格納するレシート情報データベースとに接続され、記商品購買情報を受信する毎に、顧客情報データベースから同一家族ＩＤを取得して該商品購買情報と共にレシート情報データベースに登録し、先ずユーザ別カテゴリ編集情報データベース、次いで基本カテゴリ情報データベースを検索することにより当該商品の属するカテゴリを取得して、レシート情報データベースのカテゴリ名欄に記入して、レシート情報をホームページに掲載し、家庭用端末は、ホームページにアクセスすることにより、レシート情報の消費者対応または世帯対応のダウンロードまたは閲覧ができることを特徴とする。
【００１０】
本発明の家計簿作成支援システムでは、消費者の属性，月別集計カテゴリ名およびユーザＩＤ・同一家族ＩＤを顧客情報データベースに、商品コードとカテゴリ名との対応を基本カテゴリ情報データベースに、消費者が登録したカテゴリ名に対する商品コードをユーザＩＤ毎にユーザ別カテゴリ編集情報データベースに格納しておく。
【００１１】
そして、商品購買情報を受信する毎に、顧客情報データベースから同一家族ＩＤを取得して該商品購買情報と共にレシート情報データベースに登録する。また、先ずユーザ別カテゴリ編集情報データベース、次いで基本カテゴリ情報データベースを検索することにより当該商品の属するカテゴリを取得して、レシート情報データベースのカテゴリ名欄に記入する。
【００１２】
レシート情報データベースのレシート情報はホームページに掲載し、家庭用端末からホームページにアクセスがあると、レシート情報の消費者対応または世帯対応のダウンロードまたは閲覧をさせる。
【００１３】
本発明は、このように、サーバにおいて、消費者毎に、消費者が属する世帯と対応付けてレシート情報を管理する構成としたため、消費者個人対応、または消費者が属する世帯対応にレシート情報の月別集計処理が可能となるので、消費者個人対応、または消費者が属する世帯対応に家計簿の自動的な作成ができる。
【００１４】
また、消費者毎に、商品が属するカテゴリを消費者が設定可能な構成としたため、消費者オリジナルな家計簿の自動的な作成ができる。
【００１５】
【発明の実施の形態】
次に、本発明の実施の形態について図面を参照して説明する。
【００１６】
図１は、本発明の家計簿作成支援システムの一実施例を示す。図１において、消費者によって使用される家庭用端末１と、小売店によって使用される小売店端末２と、第三者によって運営されるサーバ３とがネットワーク４を介して接続されている。家庭用端末１および小売店端末２は、実際には、それぞれ複数存在するが、説明を単純化するために一つづつ示している。
【００１７】
家庭用端末１はパソコン等であり、少なくともキーボードとブラウザ画面を備え、プリンタが接続できる。消費者は、サーバ３の運営主体（以下、「サービス業者」と記す）と契約を締結することによって、本家計簿作成支援サービスを受けることができるが、小売店が顧客サービスの一環として、本家計簿作成支援サービスを無償で消費者に提供してもよい。消費者は、家庭用端末１からサーバ３に顧客情報を登録しておく必要がある。その上で、消費者は家庭用端末１からサーバ３にアクセスして、自己の購入情報（以下、「レシート情報」と記す）やレシート情報の月別集計結果を取り込み、あるいは顧客情報やレシート情報を変更することができる。
【００１８】
小売店端末２は、レジ端末であり、商品の売上情報（以下、「レシートデータ」と記す）や商品情報をサーバ３へ送信できる。小売店は、サービス業者と契約を締結することによって、本家計簿作成支援サービスを受けることができる。小売店は、自小売店で取り扱う商品の情報を予めサービス業者に申告しておく。
【００１９】
サーバ３には磁気ディスク５が接続されており、磁気ディスク５は、顧客情報ＤＢ，基本カテゴリ情報ＤＢ，ユーザ別カテゴリ編集情報ＤＢ，レシート情報ＤＢおよび月別集計ＤＢを構成する。サーバ３は、これらのデータベースの内容に基づいて、家計簿作成を支援するための処理を行う。処理の結果は、ホームページに掲載し、消費者に付与するパスワードの入力によって家庭用端末１での閲覧やダウンロードを可能にする。
【００２０】
顧客情報ＤＢの内容は、図２（Ａ）に示すように、消費者の申告による消費者の氏名，住所，生年月日および月別集計カテゴリ名と、サービス業者が付与するユーザＩＤおよび同一家族ＩＤとから成る。月別集計カテゴリ名とは、消費者が購入する商品について月別集計の対象となる分類単位をいい、例えば、食品，衣服，生活雑費である。消費者は、最大５つの月別集計カテゴリ名を申告することができる。ユーザＩＤは消費者個人毎に付与され、同一家族ＩＤは一世帯を構成する家族（消費者）に共通して付与される。
【００２１】
基本カテゴリ情報ＤＢは、図２（Ｂ）に示すように、サービス業者によって付与される商品コードとカテゴリ名との対応を格納する。ここでのカテゴリは、消費者の登録とは無関係の、取扱商品一般に対するものである。
【００２２】
ユーザ別カテゴリ編集情報ＤＢは、図２（Ｃ）に示すように、消費者が登録したカテゴリ名に対する商品コードをユーザＩＤ毎に格納する。ここでのカテゴリ名は、図２（Ａ）におけるカテゴリ（１）〜カテゴリ（５）のいずれかである。
【００２３】
レシート情報ＤＢは、図２（Ｄ）に示すように、ユーザＩＤおよび同一家族ＩＤから成るユーザ情報と、購入日，購入店コード，商品コード，商品名，単価，数量，カテゴリ名，メモから成るレシート情報とを格納する。ユーザＩＤ，購入日，購入店コード，商品コード，商品名，単価，数量およびメモは、小売店端末２からサーバ３に送信されてくるレシートデータである。メモとは、消費者が商品購買の目的等を記したものである。
【００２４】
月別集計ＤＢは、図２（Ｅ）に示すように、ユーザＩＤまたは同一家族ＩＤ毎、カテゴリ名毎に、過去１２ケ月分の購買金額を集計して格納する。ここでのカテゴリ名は、図２（Ａ）におけるカテゴリ（１）〜カテゴリ（５）のいずれかである。
【００２５】
次に、以上のように構成された本実施例の動作について、図３および図４のフローチャートと、図５，図６および図７の画面図とを参照して説明する。
【００２６】
先ず、サーバ３は、顧客情報ＤＢ，基本カテゴリ情報ＤＢ，ユーザ別カテゴリ編集情報ＤＢおよびレシート情報ＤＢを作成する。但し、当初は、レシート情報ＤＢ中のレシート情報は空白である。
【００２７】
図３は、小売店端末２からネットワーク４を介してレシートデータが送信されてきた場合におけるサーバ３の処理を示すフローチャートである。サーバ３は、レシートデータ内のユーザＩＤをキーにして、顧客情報ＤＢから同一家族ＩＤを取得する（図３のステップＡ１）。また、レシートデータ内のユーザＩＤおよび商品コードをキーにして、ユーザ別カテゴリ編集情報ＤＢからカテゴリ名を検索する（ステップＡ２）。この検索の結果、カテゴリ名を取得できなっかた場合は（ステップＡ３でＮＯ）、消費者がカテゴリ（１）〜カテゴリ（５）以外のカテゴリに属する商品を購買した場合である。
【００２８】
この場合、サーバ３は、更に、基本カテゴリ情報ＤＢからカテゴリ名を検索する（ステップＡ４）。この検索の結果によってもカテゴリ名を取得できなっかた場合は（ステップＡ５でＮＯ）、消費者が購買した商品は基本カテゴリ情報ＤＢにも登録されていない特殊な商品として、カテゴリ名に「その他」を設定する（ステップＡ６）。
【００２９】
ステップＡ２においてカテゴリ名を取得できた場合は（ステップＡ３でＹＥＳ）、ユーザ別カテゴリ編集情報ＤＢ内のカテゴリ名がレシート情報ＤＢ内のカテゴリ名欄に追加される（ステップＡ７）。また、ステップＡ２においてカテゴリ名を取得できず（ステップＡ３でＮＯ）、ステップＡ４においてカテゴリ名を取得できた場合は（ステップＡ５でＹＥＳ）、基本カテゴリ情報ＤＢ内のカテゴリ名がレシート情報ＤＢ内のカテゴリ名欄に追加される（ステップＡ７）。また、ステップＡ４においてカテゴリ名を取得できなかった場合は（ステップＡ５でＮＯ）、ステップＡ６で設定された「その他」がレシート情報ＤＢ内のカテゴリ名欄に追加される（ステップＡ７）。ステップＡ７では、ステップＡ１で取得された同一家族ＩＤもレシート情報ＤＢ内の同一家族ＩＤ欄に追加される。
【００３０】
以上のようにしてレシート情報ＤＢに登録されたレシート情報は、サーバ３から付与されるパスワードによるユーザ認証を条件として、家庭用端末１にダウンロードすることができる。ダウンロードは、ユーザＩＤを指定して行うことも、同一家族ＩＤを指定して行うことも可能である。同一家族ＩＤを指定した場合には、同一家族ＩＤを共有する全てのユーザＩＤに対応するレシート情報がダウンロードされる。ダウンロードしたレシート情報は、家計簿支援ソフトに入力すれば、容易に家計簿を自動作成することができる。
【００３１】
また、レシート情報ＤＢに登録されたレシート情報は、サーバ３から付与されるパスワードによるユーザ認証を条件として、家庭用端末１に表示して閲覧できる。図５は、ブラウザ画面の一例を示している。消費者は、この画面上でカテゴリを変更することができる。画面表示されているカテゴリは、前述のように、ユーザ別カテゴリ編集情報ＤＢまたは基本カテゴリ情報ＤＢに則ってレシート情報ＤＢに追加されたものであるが、消費者はこれを変更できる。
【００３２】
消費者が、図５の画面上で、カテゴリを修正したい商品を選択して「カテゴリ変更」ボタンをクリックすると、図６に示すようなカテゴリ変更画面が家庭用端末１に表示される。消費者は▼のクリックによって一覧表示されるカテゴリ群の中から所望のカテゴリを選択すればよい。
【００３３】
また、メモの内容を修正したい場合には、図５の画面上で、メモを修正したい商品を選択して「メモ修正」ボタンをクリックすると、図７に示すようなメモ修正画面が家庭用端末１に表示される。消費者ｈは所定の欄に修正後のメモ内容を入力すればよい。
【００３４】
変更されたカテゴリおよび修正されたメモが家庭用端末１からサーバ３へ送信されると、サーバ３はレシート情報ＤＢ内のカテゴリ名欄およびメモ欄を更新する。
【００３５】
図４は、レシート情報ＤＢに蓄積されたレシート情報に対するユーザＩＤ対応の月次処理を示すフローチャートである。月次処理とは、月初に行う前月分のレシート情報の集計をいう。
【００３６】
ある消費者に対する月次処理を行う場合、サーバ３は、顧客情報ＤＢからそのユーザＩＤに対応する月別集計カテゴリを一つ特定し（図４のステップＢ１）、その月別集計カテゴリに関する情報（ここでは金額）を月別集計ＤＢに登録する（ステップＢ２）。このような処理を全月別集計カテゴリについて繰り返す（ステップＢ３）。図２（Ｅ）に示す月別集計ＤＢには、ユーザＩＤ単位に過去１２ケ月分のデータが登録される。
【００３７】
また、ある同一家族に対する月次処理を行う場合には、サーバ３は、顧客情報ＤＢから判明する、その同一家族ＩＤを共有する全てのユーザＩＤについて、図４に示した月別集計処理を行えばよい。図２（Ｅ）に示す月別集計ＤＢには、同一家族ＩＤ単位に過去１２ケ月分のデータが登録される。
【００３８】
なお、以上に説明した家計簿作成支援方法は、サーバを構成するコンピュータにおいてプログラムを実行することによっても行うことができる。そのプログラムは、コンピュータを制御して、図３および図４に示した処理と同様な処理を行わせる。
【００３９】
【発明の効果】
本発明によれば、サーバにおいて、消費者毎に、消費者が属する世帯と対応付けてレシート情報を管理する構成としたため、消費者個人対応、または消費者が属する世帯対応にレシート情報の月別集計処理が可能となるので、消費者個人対応、または消費者が属する世帯対応に家計簿の自動的な作成ができるという第１の効果を得ることができる。
【００４０】
また、消費者毎に、商品が属するカテゴリを消費者が設定可能な構成としたため、消費者オリジナルな家計簿の自動的な作成ができるという第２の効果も得ることができる。
【図面の簡単な説明】
【図１】本発明の家計簿作成支援システムの一実施例をを示す図
【図２】図１に示したサーバに接続される各データベースの内容を示す図
【図３】本発明における小売店端末からレシートデータが送信されてきた場合のサーバの処理を示すフローチャート
【図４】本発明におけるレシート情報ＤＢに蓄積されたレシート情報に対するユーザＩＤ対応の月次処理を示すフローチャート
【図５】本発明における家庭用端末に表示されるレシート情報のブラウザ画面のイメージ図
【図６】本発明におけるカテゴリ変更画面のイメージ図
【図７】本発明におけるメモ修正画面のイメージ図
【符号の説明】
１　　　家庭用端末
２　　　小売店端末
３　　　サーバ
４　　　ネットワーク
５　　　磁気ディスク
【図１】
2004046540.tif 000003
【図２】
2004046540.tif 000004
【図３】
2004046540.tif 000005
【図４】
2004046540.tif 000006
【図５】
2004046540.tif 000007
【図６】
2004046540.tif 000008
【図７】
2004046540.tif 000009